(57)【要約】      （修正有）【課題】ガスコンロ使用の安全性を高めるガス防災装置を提供する。【解決手段】ガス防災装置は、状態探知ユニット１、ガス制御ユニット２からなり、状態探知ユニットにはワンチップマイクロプロセッサー１１を設置し、ワンチップマイクロプロセッサーは温度、ガス及び煙探知部１２〜１４、及び警報音発生部１５、自動発信回路１６、無線発射回路１７に連接し、ガス制御ユニットには無線受信回路２１及び電磁バルブ２２を設置する。状態探知ユニットにより温度、ガス或いは煙の状態を探知し、無線信号を伝送してガス制御ユニットを駆動しガスの火を消し、警報音発生部がアラーム音を発して警報作用を達成し、設定時間内に状態が解除されなければ自動発信回路により自動的に警報を発信する。【選択図】図２
0003178890.tif 000002
【実用新案登録請求の範囲】
【請求項１】
ガス防災装置は、状態探知ユニット、ガス制御ユニットからなり、
該状態探知ユニットには、ワンチップマイクロプロセッサーを設置し、これにより、該ワンチップマイクロプロセッサーは、温度探知部、煙探知部、警報音発生部、無線発射回路に連接し、ガスコンロの火を消し忘れ、空焚きが起こった際に発生する異常な温度或いは煙の状態を探知し、
前記無線発射回路により無線信号を発射し、該ガス制御ユニットに送り、該ガス制御ユニットは、無線受信回路、及び該無線受信回路に連接する電磁バルブを設置し、
該電磁バルブには、外部に突出する進気口及び出気口を設置し、これにより、該進気口は、ガス輸送管に連接し、該出気口を、ガスコンロのガス進気口の進気管に連接し、
これにより、該無線受信回路が該状態探知ユニットの信号を受信すると、該電磁バルブを駆動しガスの火を消し、こうしてガスコンロ使用の安全性を高めることができることを特徴とするガス防災装置。
【請求項２】
前記状態探知ユニットにはさらに、警報音発生部を連接し、異常な温度、或いは煙の状態を探知すると、該警報音発生部はアラーム音を発し、警報作用を達成することを特徴とする請求項１に記載のガス防災装置。
【請求項３】
前記状態探知ユニットにはさらに、自動発信回路を連接し、
設定時間内に異常な温度、或いは煙の状態が解除されなければ、自動的に警報を発信することを特徴とする請求項１に記載のガス防災装置。
【請求項４】
前記状態探知ユニットにはさらに、ガス探知部を連接し、これによりガス漏れ信号を探知することを特徴とする請求項１に記載のガス防災装置。
【考案の詳細な説明】
【技術分野】
【０００１】
本考案はガス防災装置に関し、特に温度、ガス、或いは煙の状態を探知し、料理の過程で、人がその場を離れる際にガスの火を消し忘れ空焚きが起こった場合に、ガスの火を消し、同時にアラーム音を発し警報作用を達成し、しかも設定時間内に状態が解除されなければ自動的に警報を発信し、これによりガスコンロ使用の安全性を高めることができるガス防災装置に関する。
【背景技術】
【０００２】
一般に、ガスコンロを使用し食物を調理し、或いは湯を沸かす時、人がその場を離れて、ガスの火を消し忘れる状況がしばしば発生する。
特に、煮込み料理、或いはブイヨンを煮込む時には、調理時間が長くなるため、他の事物に気が逸れてしまい、或いはうっかり外出してしまい、ガスコンロの火を消し忘れ燃焼が続くという事態が発生し易い。
このような不注意は、甚大な災害、及び生命財産の損失をしばしば引きこしている。
にもかかわらず、ガスの消し忘れが招く災害は後を絶たず、有効な対策が待たれている。
【０００３】
本考案は、上記した状況に鑑み、料理の過程でガスの火を消し忘れ空焚きが起こった際に、温度、ガス、或いは煙に対する探知を通して、直ちにガスの火を消し、災害の発生を防止することを狙いなされたものである。
【先行技術文献】
【特許文献】
【０００４】
【特許文献１】特開平８−９５４８２号公報
【特許文献２】実開平６−５９９９０号公報
【考案の概要】
【考案が解決しようとする課題】
【０００５】
本考案が解決しようとする課題は、料理の過程で、人がその場を離れ、ガスの火を消し忘れ、空焚きが起こった際に、温度、ガス、或いは煙の状態を探知することでガスの火を消し、同時にアラーム音を発し、警報作用を達成し、しかも設定時間内に状態が解除されなければ自動的に警報を発信し、これにより災害の発生を防止し、ガスコンロの使用の安全性を高めることができるガス防災装置を提供することである。
【課題を解決するための手段】
【０００６】
上記課題を解決するため、本考案は下記のガス防災装置を提供する。
ガス防災装置は、状態探知ユニット、ガス制御ユニットからなり、該状態探知ユニットには、ワンチップマイクロプロセッサーを設置し、これにより、該ワンチップマイクロプロセッサーは、温度、ガス及び煙探知部、及び警報音発生部、自動発信回路、無線発射回路に連接し、該ガス制御ユニットには、無線受信回路及び電磁バルブを設置し、該状態探知ユニットを適当な位置に置き、該ガス制御ユニットを、ガスコンロのガス進気口に設置し、料理の過程で、人がその場を離れガスの火を消し忘れ空焚きが起こった際に、該状態探知ユニットにより温度、ガス或いは煙の状態を探知し、無線信号の伝送により、該ガス制御ユニットを駆動し、ガスの火を消し、同時に、アラーム音を発し、警報作用を達成し、しかも設定時間内に状態が解除されなければ自動的に警報を発信し、ガスコンロ使用の安全性を高めることができる。
【考案の効果】
【０００７】
本考案のガス防災装置は、料理の過程で、人がその場を離れ、ガスの火を消し忘れ、空焚きが起こった際に、温度、ガス、或いは煙の状態を探知することでガスの火を消し、同時にアラーム音を発し、警報作用を達成し、しかも設定時間内に状態が解除されなければ自動的に警報を発信し、これにより災害の発生を防止し、ガスコンロの使用の安全性を高めることができる。
【図面の簡単な説明】
【０００８】
【図１】本考案の実施例の立体図である。
【図２】本考案の実施例の回路ブロックチャートである。
【図３】本考案のガス制御ユニット構造の斜視図である。
【図４】本考案の実施例の設置を使用した状態の実施例図である。
【図５】本考案の実施例装置の動作を説明する説明図である。
【考案を実施するための形態】
【０００９】
以下に図面を参照しながら、本考案を実施するための最良の形態について詳細に説明する。
【実施例】
【００１０】
図１、２は、本考案の立体図、及び実施例回路ブロックチャート、及びガス制御ユニット構造図である。図に示すように、本考案は、状態探知ユニット１、ガス制御ユニット２からなる。
【００１１】
該状態探知ユニット１には、ワンチップマイクロプロセッサー１１を設置する。これにより、該ワンチップマイクロプロセッサー１１は、温度探知部１２、ガス探知部１３、煙探知部１４、警報音発生部１５、自動発信回路１６、無線発射回路１７に連接する。
該状態探知ユニット１は、電池により作動電源を供給され、低電圧探知回路１８により内部電池の容量を探知し、表面のインジケーター１８１に表示し、電池交換の必要を使用者に提示する。
【００１２】
前記ガス制御ユニット２は、無線受信回路２１、及び該無線受信回路２１に連接する電磁バルブ２２を設置する。該電磁バルブ２２には、外部に突出する進気口２３及び出気口２４を設置する。
該ガス制御ユニット２は、電池により作動電源を供給され、低電圧探知回路２５により、内部電池の容量を探知され、表面のインジケーター２５１に表示し、電池交換の必要を使用者に提示する。
上記した構成部材の組合せにより、ガス防災装置を構成する。
【００１３】
前記該状態探知ユニット１を適当な位置に置き、該ガス制御ユニット２の進気口２３をガス輸送管３に連接し、該出気口２４を、ガスコンロのガス進気口の進気管４に連接する(図３、４参照)。ガスコンロでの料理の過程で、人がその場を離れガスの火を消し忘れ空焚きが起こった際には、該状態探知ユニット１により、空焚きにより発生する異常な温度、ガス、或いは煙の状態を探知する。
【００１４】
次に、前記無線発射回路１７により、無線信号を発射し、該ガス制御ユニット２の無線受信回路２１が該信号を受信すると、該電磁バルブ２２を駆動し、ガスの火を消す。同時に、該状態探知ユニット１の警報音発生部１５により、アラーム音を発し警報作用を達成し、しかも設定時間内に状態が解除されなければ、該自動発信回路１６により自動的に警報を発信し、こうしてガスコンロ使用の安全性を高めることができる。
【００１５】
図４は、本考案の設置を利用した実施例図である。
図に示すように、本考案設置時には、該ガス制御ユニット２を、該ガス輸送管３に連接し、該出気口２４を、ガスコンロ５のガス進気口の進気管４に連接し、該状態探知ユニット１を適当な位置に置く（図示では、探知の便のため、ガスコンロよりやや高い位置に置く）。
常態下では、該状態探知ユニット１は、一切の温度、ガス、或いは煙の異常信号を探知しないため、該ガス制御ユニット２は正常な供給を維持し、こうして該ガスコンロ５を使用することができる。
【００１６】
図５は、本考案の実施例の動作を説明する説明図である。
図２、３に示すように、ガスコンロ５での調理過程で、人がその場を離れガスの火を消し忘れ空焚きが起こった際には、該ガスコンロ５周囲の温度は上昇し、しかも煙が発生する可能性もある。
この時、該状態探知ユニット１は異常な温度或いは煙の状態を探知する。
【００１７】
次に、該無線発射回路１７により、無線信号を発射し、該ガス制御ユニット２の無線受信回路２１が該信号を受信すると、該電磁バルブ２２を駆動し、ガスの火を消す。同時に、該状態探知ユニット１の警報音発生部１５により、アラーム音を発し警報作用を達成し、しかも設定時間内に状態が解除されなければ、該自動発信回路１６により自動的に警報を発信し、こうしてガスコンロ使用の安全性を高めることができる。
【００１８】
本考案の状態探知ユニット１のガス探知部１３は、ガスを探知するため、該ガス輸送管３のジョイントが脱落、或いは破損し、ガス漏れが発生した時には、該ガス探知部１３の探知により、該警報音発生部１５がアラーム音を発し、警報作用を達成する。
しかも、設定時間内に状態が解除されなければ、該自動発信回路１６により自動的に警報を発信し、ガス使用の安全性を確保することができる。
【００１９】
上述したように、本考案は数個の探知部、及び該各探知部に連接する無線回路に、ガス輸送管に設置する制御ユニットを合わせ、ガス防災装置を構成する。
料理の過程で、人がその場を離れ、ガスの火を消し忘れ、空焚きが起こった際に、温度、ガス、或いは煙の状態を探知することでガスの火を消し、同時に、アラーム音を発し、警報作用を達成し、しかも設定時間内に状態が解除されなければ自動的に警報を発信し、これにより災害の発生を防止し、ガスコンロの使用の安全性を高めることができる。
【００２０】
上記の本考案の名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２２】
１  状態探知ユニット
１１  ワンチップマイクロプロセッサー
１２  温度探知部
１３  ガス探知部
１４  煙探知部
１５  警報音発生部
１６  自動発信回路
１７  無線発射回路
１８  低電圧探知回路
１８１  インジケーター
２  ガス制御ユニット
２１  無線受信回路
２２  電磁バルブ
２３  (ガス)進気口
２４  出気口
２５  低電圧探知回路
２５１  インジケーター
３  ガス輸送管
４  進気管
５  ガスコンロ
【図１】
0003178890.tif 000003
【図２】
0003178890.tif 000004
【図３】
0003178890.tif 000005
【図４】
0003178890.tif 000006
【図５】
0003178890.tif 000007